(57)【要約】【課題】使い勝手の良い把手付風呂蓋を提供する。【解決手段】前記蓋板１１に貫通孔１２が形成され、中受け部材５０と、前記蓋板１１の下面側から中受け部材５０を介して貫通孔１２に対応して配置されるベース部材３０と、蓋板１１の上面側から貫通孔１２を介してベース部材３０の上面側に組み付けられるカバー部材４０とを有する偏平中空部材２０が、そのベース部材３０及びカバー部材４０の周縁部で蓋板１１を挟持し、前記偏平中空部材２０の上面側に把手取付凹部４５が設けられるとともに、その凹部両側縁部４５に開口する把手差込孔が中受け部材５０とベース部材３０の間に設けられ、前記把手１の両端部が把手差込孔にスライド自在かつ抜け止め状態に挿入されている。【選択図】  図７
2007202610.tif 000002
【特許請求の範囲】
【請求項１】
蓋板に把手を設けるようにした把手付風呂蓋であって、
前記蓋板に貫通孔が形成され、
中受け部材と、前記蓋板の下面側から前記中受け部材を介して前記貫通孔に対応して配置されるベース部材と、前記蓋板の上面側から前記貫通孔を介して前記ベース部材の上面側を覆うように組み付けられるカバー部材とを有する偏平中空部材が、そのベース部材及びカバー部材の周縁部によって前記蓋板の前記貫通孔周縁部を挟持することにより、前記蓋板に取り付けられ、
前記偏平中空部材の上面側に把手取付凹部が設けられるとともに、その凹部両側縁部に開口する把手差込孔が前記中受け部材とベース部材の間に設けられ、
前記把手が前記把手取付凹部を跨ぐ態様に配置された状態で、その両端部が前記把手差込孔にスライド自在かつ抜け止め状態に挿入されていることを特徴とする把手付風呂蓋。
【請求項２】
前記中受け部材は、前記蓋板の貫通孔に対応して貫通孔が設けられた環状体である請求項１に記載の把手付風呂蓋。
【請求項３】
前記ベース部材の上面側に切欠部を有する突条が設けられる一方、前記中受け部材の下面側に前記切欠部に嵌合する２本の突条が間隔をもって設けられ、前記中受け部材の２本の突条によって把手挿入孔が形成されている請求項１または２に記載の把手付風呂蓋。
【発明の詳細な説明】
【背景技術】
【０００１】
従来において、蓋周縁の損傷防止や滑り止め等を目的として、外周縁部に沿って合成樹脂製のエッジプロテクターが取り付けられた組蓋タイプの風呂蓋が周知であるが、このようなエッジプロテクター付きの風呂蓋において、取扱性等を考慮して把手が取り付けられるものがある。
【０００２】
例えば下記特許文献１、２に示す組蓋タイプの風呂蓋は、把手を風呂蓋本体の外周縁部に外側方に突出するように取り付けたり、把手を蓋板の上面に上方に突出するように取り付けるようにしている（特許文献１、２）。
【０００３】
しかしながら、把手を風呂蓋本体の外周縁部に外側方に突出するように取り付ける場合には、把手が風呂蓋端部から外側方に突出するように配置されるとともに、把手を蓋板の上面に取り付ける場合には、把手が板面から上方に突出するように配置される。このように把手が風呂蓋本体に対し外方に突出するように配置されるため、把手の風呂蓋に対する収まりが悪く、良好な美観を得ることができないばかりか、把手が邪魔になり、複数枚の風呂蓋本体を体裁良く重ね合わせることができず、保管や収納を効率良く行うことができないという問題を抱えている。
【０００４】
なお把手の風呂蓋本体に対する突出量が小さいものでは、美観等を向上させることができるものの、把手と風呂蓋本体との間の寸法が小さくなるため、把手を把持するのが困難になり、把手を十分に活用できず、浴槽に対する着脱作業や持ち運び作業等の風呂蓋取扱作業をスムーズに行えなくなるという問題が発生する。
【０００５】
そこで、本出願人は、蓋板に貫通孔を設け、貫通孔の周縁部を挟持するベース部材とカバー部材とからなる扁平中空部材を取付け、この扁平中空部材に把手を取付けるように構成した把手付風呂蓋を提案した。この把手付風呂蓋においては、前記扁平中空部材の上面側に把手取付凹部を設けてその凹部両側縁部に把手差込孔が設けられ、把手を前記把手取付凹部を跨る態様に配置してその両端部を前記把手差込孔にスライド可能かつ抜け止め状態に挿入されている。このような構成により、把手を簡単かつ確実に把持することができ、浴槽に対する着脱作業や持ち運び作業等の風呂蓋取扱作業をスムーズに行うことができる上、把手の風呂蓋本体に対する収まりが良く、良好な美観を得ることができる（特許文献３）。
【特許文献１】特開２００２−９５５９８号公報（図１）
【特許文献２】特開２００２−１２５８７２号公報（図１）
【特許文献３】特開２００５−４０３６８号公報（図４）
【発明の開示】
【発明が解決しようとする課題】
【０００６】
特許文献３に記載された把手付風呂蓋は、把手の両端部を収める空間として蓋板の貫通孔に把手の端部に対応する矩形の切欠部を設けたものであり、把手の両端部はベース部材とカバー部材との間に組み付けられている。このため、把手を持って風呂蓋を持ち上げると把手がカバー部材の下面に接触し、風呂蓋の重みでカバー部材が外れるおそれがあった。
【課題を解決するための手段】
【０００７】
本発明は、上述した技術背景に鑑み、特許文献３で提案した把手付風呂蓋を改良し、スムーズな風呂蓋取扱作業と良好な美観を得ることができることに加えて、カバー部材のはずれを確実に防止してさらに使い勝手の良い把手付風呂蓋の提供を目的とする。
【０００８】
即ち、本発明の把手付風呂蓋は下記［１］〜［３］に記載の構成を有する。
［１］  蓋板に把手を設けるようにした把手付風呂蓋であって、
前記蓋板に貫通孔が形成され、
中受け部材と、前記蓋板の下面側から前記中受け部材を介して前記貫通孔に対応して配置されるベース部材と、前記蓋板の上面側から前記貫通孔を介して前記ベース部材の上面側を覆うように組み付けられるカバー部材とを有する偏平中空部材が、そのベース部材及びカバー部材の周縁部によって前記蓋板の前記貫通孔周縁部を挟持することにより、前記蓋板に取り付けられ、
前記偏平中空部材の上面側に把手取付凹部が設けられるとともに、その凹部両側縁部に開口する把手差込孔が前記中受け部材とベース部材の間に設けられ、
前記把手が前記把手取付凹部を跨ぐ態様に配置された状態で、その両端部が前記把手差込孔にスライド自在かつ抜け止め状態に挿入されていることを特徴とする把手付風呂蓋。
【０００９】
［２］  前記中受け部材は、前記蓋板の貫通孔に対応して貫通孔が設けられた環状体である前項１に記載の把手付風呂蓋。
【００１０】
［３］  前記ベース部材の上面側に切欠部を有する突条が設けられる一方、前記中受け部材の下面側に前記切欠部に嵌合する２本の突条が間隔をもって設けられ、前記中受け部材の２本の突条によって把手挿入孔が形成されている前項１または２に記載の把手付風呂蓋。
【発明の効果】
【００１１】
［１］の本発明にかかる把手付風呂蓋においては、蓋板はベース部材とカバー部材に挟持されているのみならず、中受け部材により下方から支持され、かつ把手の両端部が中受け部材の下側に配置されている。このため、把手を持ち上げると中受け部材を介して蓋板を直接持ち上げることになり、確実に持ち上げることができる。そして、把手がカバー部材を直接押し上げてカバー部材が外れる、という事態を確実に防止できる。さらにベース部材とカバー部材に中受け部材を介装したことで風呂蓋の荷重が分散されるため、取扱作業が安定し使い勝手の良いものとなる。
【００１２】
また、偏平中空部材の上面側に、把手取付凹部を設けるとともに、この凹部を跨ぐ態様に把手がスライド自在に取り付けられているため、把手を引き出して無理なく把持することができ、浴槽に対する着脱作業や搬送作業等の取扱作業をスムーズに行うことができる。一方、把手を放置した状態では、把手が把手取付凹部内に収まるため、良好な美観を得ることができる上、組蓋においても複数の風呂蓋本体を体裁良く重ね合わせることができ、保管や収納を効率良く行うことができる。
【００１３】
［２］の発明によれば、中受け部材の広い面積で蓋板を支持するができ、さらに風呂蓋の荷重が分散され、取扱作業が安定し使い勝手の良いものとなる。
【００１４】
［３］の発明によれば、把手差込孔の形成とともに中受け部材の位置決めも同時に行うことができ、組付け作業を簡単に行える。
【発明を実施するための最良の形態】
【００１５】
図１に示すように、この実施形態の把手付風呂蓋（Ｓ）は、数枚一組で使用する組蓋タイプのものであって、非使用時には、複数枚を重ね合わせてコンパクトに保管、収納できるものである。この把手付風呂蓋（Ｓ）は、風呂蓋本体（１０）と、偏平中空部材（２０）と、把手（１）とを基本的な構成要素として備えている。
【００１６】
風呂蓋本体（１０）は、平板状の蓋板（１１）と、その外周縁部に連続して設けられるエッジプロテクター（１５）とを有している。前記蓋板（１１）は、芯板と、その芯板の表裏両面に積層一体化された硬質層と、表裏両硬質層の外表面側に積層一体化された化粧層とにより構成されている。芯板は、例えば熱可塑性合成樹脂の発泡体によって構成されている。さらに硬質層は、例えばアルミニウム（その合金も含む）等の金属品によって構成されている。また、図９に示すように、エッジプロテクター（１５）は、断面略コ字状の形状を有しており、そのコ字溝（１６）内に、蓋板（１１）の外周縁部が嵌着されることによって、蓋板（１１）の外周縁部に沿って連続して取り付けられている。なおエッジプロテクター（１５）は、例えば射出成形によって蓋板（１１）と一体に形成されている。
【００１７】
図２示すように、前記風呂蓋本体（１０）における蓋板（１１）の中央には、長円形の貫通孔（１２）が形成されている。また、前記貫通孔（１２）の周囲８箇所に前記扁平中空部材（２０）を取り付けるための取付孔（１３）（１４）が形成されている。８箇所のうち、４個の取付孔（１３）は貫通孔（１２）の一対の短弧の外方に穿設された独立孔であり、他の４個の取付孔（１４）は貫通孔（１２）の一対の長弧に連結した連結孔である。
【００１８】
図３および図４に示すように、偏平中空部材（２０）は、偏平な断面形状を有し、ベース部材（３０）と、カバー部材（４０）と、前記ベース部材（３０）とカバー部材（４０）との間に介装される中受け部材（５０）とを具備している。これらの部材（３０）（４０）（５０）は硬質合成樹脂の一体成形品からなる。
【００１９】
前記カバー部材（４０）は、平面視略長円形の上板部（４１）と、その上板部（４１）の外周縁部に下方屈曲状に形成された上側挟圧片（４２）とを一体に有している。前記上板部（４１）の中間領域は、下方側に凹陥形成されて凹部（４５）が形成され、さらにこの凹部（４５）の底壁には底孔（４９）が形成されている。前記凹部（４５）は、平面視において、長円形状を有するとともに、底孔（４９）も同様に、長円形状を有している。さらに、前記上板部（４１）の下面側（裏面側）には、その凹部（４５）の周囲８箇所に下方突出状に筒状嵌合雄部（４３）が一体に形成されている。
【００２０】
前記ベース部材（３０）は、平面視長円形状の底板部（３１）と、その底板部（３１）の外周縁部に上方屈曲状に形成された下側挟圧片（３２）とを一体に有している。前記下側狭圧片（３２）の短弧側には水抜き用の切欠部（３６）が設けられている。前記底板部（３１）の上面側中央部には、前記中受け部材（５０）を支持する長円形の突条（３５）が突設されている。この突条（３５）は両短弧側に切欠部（３４）（３４）を有するものの、前記カバー部材（４０）の底孔（４９）の形状に対応するものであり、内側領域が凹部（４５）の底面部となる。また、前記各切欠部（３４）の外方には小径の円形ピン（３７）が突設され、さらにその外方には高さの低い畝状突起（３８）が形成されている。さらに、前記突条（３５）の周囲には、前記カバー部材（４０）の筒状嵌合雄部（４３）に対応して、上方突出状に筒状嵌合雌部（３３）が一体に形成されている。
【００２１】
図４および図５に示すように、前記中受け部材（５０）は、平面視略長円形の平板部（５１）と、その上面および下面に前記カバー部材（４０）およびベース部材（３０）に係合する種々の突起物とを一体に有している。前記平板部（５１）の中央部にはカバー部材（４０）の底孔（４９）に対応する長円形の貫通孔（５２）が形成され、長弧側外周縁部にはカバー部材（４０）の筒状嵌合雄部（４３）に対応する４個の切欠部（５３）が形成されている。また、前記平板部（５１）の上面には、貫通孔（５２）の周囲に前記蓋板（１１）の貫通孔（１２）に嵌合される長円形の突条（５４）が突設されている。この突条（５４）は前記切欠部（５３）によって分断されている。一方、前記平板部（５１）の下面には、前記ベース部材（３０）の円形ピン（３７）に嵌合する筒状部（５５）が突設され、この筒状部（５５）の両脇に、貫通孔（５２）から外縁に至る２本のガイド用突条（５６）（５６）が所定間隔をもって平行に突設されている。これらのガイド用突条（５６）はベース部材（３０）の突条（３５）と同じ高さに形成されている。また、これらのガイド用突条（５６）の両側には前記貫通孔（５２）に沿って円弧状の位置ずれ防止用突条（５７）が形成されている。
【００２２】
前記把手（１）は、弾力性を有する柔軟性樹脂からなる帯状体であり、図４に示すように、その中間部が把持部（２）として構成されるとともに、両端側を下方に屈曲させ、この屈曲部から先端側が前記扁平中空部材（２０）への差込部（３）として構成されている。前記差込部（３）の中央部には長手方向に沿って長孔（４）が形成され、先端部には幅および高さを拡大した抜け止め部（５）が形成されている。また、前記屈曲部は、組付け時に把手（１）が扁平中空部材（２０）の上面から突出しない高さに設定されている（図８参照）。
【００２３】
次に、図４および図６〜９を参照し、上述した風呂蓋本体（１０）に偏平中空部材（２０）および把手（１）を組み付ける手順（ａ）〜（ｄ）を説明しつつ、組付け構造について説明する。
【００２４】
（ａ）図４、図６および図７に示すように、前記ベース部材（３０）上に把手（１）を載置する。前記ベース部材（３０）の突条（３５）の両切欠部（３４）に把手（１）の差込部（３）の基端側を合わせると、長孔（４）内にべース部材（３０）のピン（３７）が挿入され、抜け止め部（５）は突起（３８）の外側に配置される。なお、図６はさらに中受け部材（５０）を載置した状態を示している。
【００２５】
（ｂ）図４、図６および図７に示すように、把手（１）を載置したベース部材（４０）上に中受け部材（５０）を載置する。図９に示すように、ベース部材（３０）の突条（３５）の上面および底板部（３１）と、中受け部材（５０）の平板部（５１）の下面およびガイド用突条（５６）の下面とが当接し、ベース部材（３０）の突条（３５）の内周面と中受け部材（５０）の平板部（５１）の端面（貫通孔（５２）の内周面）とが面一に適合する。また、中受け部材（５０）のガイド用突条（５６）が切欠部（３４）内に嵌め込まれ、ピン（３７）が筒状部（５５）に嵌合する。そして、ベース部材（３０）の底板部（３１）の上面、中受け部材（５０）の平板部（５１）の下面およびガイド用突条（５６）によって囲まれたスリット状空間（Ｒ）が形成される。このスリット状空間（Ｒ）は本発明における把手差込孔に対応し、かつ把手（１）の差込部（３）のスライドスペースとなされる。また、把手（１）の長孔（４）内に中受け部材（５０）の筒状部（５５）が挿入されているため、差込部（３）は長孔（４）内がスライド可能範囲となり、さらに差込部（３）を内側にスライドさせると、抜け止め部（５）が中受け部材（５０）の平板部（５１）の端面、ガイド用突条（５６）の端面およびべース部材（３０）の突起（３８）外側側面に当接して抜け止め状態となる。また、ベース部材（３０）の長円形の突条（３５）と中受け部材（５０）の位置ずれ防止用突条（５７）とが並行し、これらが当接することよってベース部材（３０）と中受け部材（５０）の位置ずれが防止されている。
【００２６】
（ｃ）図７に示すように、中受け部材（５０）上に蓋板（１１）を載置する。図８に示すように、中受け部材（５０）の長円形の突条（５４）が蓋板（１１）の貫通孔（１２）に挿入されるとともに、ベース部材（３０）の８個の筒状嵌合雌部（３３）が蓋板（１１）の取付孔（１３）（１４）に遊挿され、蓋板（１１）は所定位置に載置される。また、ベース部材（３０）の下側狭圧片（３２）が蓋板（１１）の下面を支持する。
【００２７】
（ｄ）図７〜９に示すように、カバー部材（４０）を蓋板（１１）に被せ、カバー部材（４０）の筒状嵌合雄部（４３）とベース部材（３０）の筒状嵌合雌部（３３）とを強く嵌合させる。これらの部材間のクリアランスは極めて小さく設定されているため、強く引き離さない限り嵌合状態は維持され、カバー部材（４０）の上側挟圧片（４２）とベース部材（３０）の下側挟圧片（３２）とが、蓋板（１１）の貫通孔（１２）の周縁部を挟持することにより、偏平中空部材（２０）が蓋板（１１）に固定される。そして、カバー部材（４０）の凹部（４５）の下端面が中受け部材（５０）の平板部（５１）の上面に当接するともに、凹部（４５）の内周面と中受け部材（５０）の貫通孔（５２）の内周面およびベース部材（３０）の突条（３５）の内周面とが適合して面一となり、中空部材（２０）内部への封止がなされる。また、前記凹部（４５）は実質的に深くなって、本願発明における把手取付凹部が有底構造に形成される。
【００２８】
上述した組付け状態において、蓋板（１１）はベース部材（３０）とカバー部材（４０）に挟持されているのみならず、中受け部材（５０）の平板部（５１）により広い面積で下方から支持され、かつ把手（１）の差込部（３）が中受け部材（５０）の下側に配置されている。このため、把手（１）を持ち上げると中受け部材（５０）を介して蓋板（１１）を直接持ち上げることになり、確実に持ち上げることができる。そして、把手（１）がカバー部材（４０）を直接押し上げてカバー部材（４０）が外れる、という事態を確実に防止できる。さらにベース部材（３０）とカバー部材（４０）の間に中受け部材（５０）を介装したことで風呂蓋（Ｓ）の荷重が分散されるため、取扱作業が安定し使い勝手の良いものとなる。
【００２９】
また、蓋板（１１）に貫通状態に設けられた偏平中空部材（２０）の上面側に、把手取付凹部を設けるとともに、この凹部を跨ぐ態様に把手（１）が取り付けられるものであるため、例えば風呂蓋を浴槽に設置した状態においては、把手（１）を風呂蓋上面側から無理なく把持することができる。しかも、把手（１）をその両側のいずれの方向からでも指先を差し込むことができて確実に把持することができる。このように把手（１）を風呂蓋上面側におけるいずれの方向からでも把持できるため、把手（１）を十分に活用できて、風呂蓋の浴槽に対する着脱作業や搬送作業等の取扱作業をスムーズに行うことができる。
【００３０】
また、把手（１）を放置した状態では、把手（１）が把手取付凹部内に収まるため、把手（１）が風呂蓋表面から必要以上に外部に突出することがなく、良好な美観を得ることができる上、把手（１）が邪魔にならず、複数の風呂蓋本体（１０）を体裁良く重ね合わせることができ、保管や収納を効率良く行うことができる。
【００３１】
特に本実施形態は、把手（１）の把持部（２）偏平中空部材（２０）の上面から突出しない高さに配置されるものであるため、把手（１）の風呂蓋本体（１０）に対する収まりが一段と良くなり、より一層良好な美観を得ることができるとともに、重ね合わせ作業等をより一層スムーズに行うことができる。
【００３２】
また本実施形態においては、把手（１）を弾力性を有する柔軟性樹脂で形成し、両側部をスライド自在に設けているため、把手（１）の把持部（２）を把持する際に、把手（１）の両側部が引き出され、図８の想像線に示すように把手（１）が把手差込孔（Ｒ）から引き出されてアーチ状に変形するため、把持部（２）の下側に指先をスムーズに回り込ませることができ、把持作業を一層簡単かつ確実に行うことができる。しかも、前記中受け部材（５０）のガイド用突条（５６）および把手（１）の長孔（４）内に挿入した筒状部（５５）によってスライド方向が正確にガイドされるため、把手（１）を把持する際に把手（１）がスムーズにスライドし、把手（１）の把持作業を一層簡単に行うことができる。
【００３３】
本発明の把手付風呂蓋は上述した実施形態に限定されるものではなく、請求項１に記載された範囲内における各種変形をも許容するものである。以下にいくつかの変形例を示す。
【００３４】
扁平中空部材（２０）において、把手取付凹部は必ずしもカバー部材（４０）、中受け部材（５０）およびベース部材（３０）の３部材が面一に組み合わさって形成されたものに限定されない。例えば、中受け部材（５０）の貫通孔（５２）およびベース部材（３０）の突条（５０）を外縁方向に退いた位置に形成し、カバー部材（４０）の凹部（４５）を前記貫通孔（５２）および突条（３５）を覆う長さに形成してもよい。この場合、把手差込孔（Ｒ）は、カバー部材（４０）の凹部（４５）に切欠を設ければ、中受け部材（５０）とベース部材（３０）の間に設けた把手差込孔（Ｒ）を把手取付凹部に臨んで開口させることができる。もとより、本願発明における把手取付凹部は、組付け状態において扁平中空部材（２０）の上面側に設けられているものであって、カバー部材（４０）の一部として上板部（４１）を下方に凹ませて周壁を形成したものに限定されない。把手取付凹部の周壁はベース部材（３０）または中受け部（５０）と一体に形成することもできる。
【００３５】
また、上記実施形態においては、カバー部材（４０）の上板部（４１）に無底の把手取付凹部（４５）を形成しているが、本発明は、それだけに限られず、カバー部材の上板部に、孔のない有底凹部を形成して、その有底凹部を把手取付凹部として構成するようにしても良い。この場合、把手取付凹部の底壁をベース部材の底壁に接合することによって、強度を向上させることができる。
【００３６】
中受け部材（５０）は少なくとも把手差込孔（Ｒ）を形成する部分に存在してれば足り、環状体以外の中受け部材を用いた場合も本発明に含まれる。但し、環状体の中受け部材は蓋板をより広い面積で支持することができるため、風呂蓋の荷重を分散させて把手に集中させない点で推奨できる。また、中受け部材がベース部材と一体化しているものも本発明に含まれる。
【００３７】
また、把手差込孔（Ｒ）は、ベース部材（３０）と中受け部材（５０）との間に空間を形成すれば良く、中受け部材（５０）に下面側に突条（５６）を設ける他、ベース部材（３０）の上面側に突条を設けることによっても形成することができる。上述した実施形態においては、ベース部材（３０）に中受け部材（５０）支持する長円形の突条（３５）を設けるとともに把手差込孔（Ｒ）予定部位に切欠部（３４）を形成し、一方中受け部材（５０）に前記切欠部（３４）に嵌合する２本のガイド用突条（５６）を設けている。このような構成により、把手差込孔（Ｒ）の形成とともに中受け部材（５０）の位置決めも同時に行うことができ、組付け作業を簡単に行える。
【００３８】
把手（１）を把手差込孔（Ｒ）にスライド自在かつ抜け止め状態に挿入する方法も上記実施形態に限定されない。例えば、図示例の把手（１）における長孔（４）は中受け部材（５０）の筒状部（５５）を挿入してスライド方向をガイドするものであるが、スライド量を規制するものでもあり実質的に把手（１）の抜け止めを構成している。従って、必ずしも把手（１）の端部に断面積を拡大した抜け止め部（５）を形成して、この抜け止め部（５）を把手差込孔（Ｒ）の他端側において中受け部材（５０）に当接させずとも、抜け止めを図ることができる。また、前記把手差込孔（Ｒ）内において把手（１）の抜け止め部（５）に係合させる係合部を設ける構成としても良い。
【００３９】
また、把手（１）は把持部（２）と差込部（３）との間に屈曲部を形成せず、平坦な帯状であっても良い。必ずしも屈曲部がなくても把手のスライドによりアーチ状に撓ませる（図８参照）ことによって指を差し入れることができる。なお、本発明においては、扁平中空部材（２０）の上面側に把手取付凹部が設けられているため、把手（１）に屈曲部を設けても把手を前記凹部内に収めることができ、良好な美観を得ることができる上、把手（１）が邪魔にならず、複数の風呂蓋本体（１０）を体裁良く重ね合わせることができ、保管や収納を効率良く行うことができる。
【００４０】
カバー部材（４０）をベース部材（３０）に固定するための固定手段は、特に限定されるものではなく、例えばリベットを用いて両部材（３０）（４０）を固定するリベット止め方式、接着剤を用いて両部材（３０）（４０）を固定する接着方式の他、両部材（３０）（４０）に係合フックを設けて、対応するフック同士を係合することにより、両部材（３０）（４０）を固定する係合方式、さらにはこれらの方式を併用するようにした併用方式等を用いることができる。
【００４１】
中空扁平部材（２０）の蓋板（１１）に対する組付手順は、特に限定されるものではなく、最終的に図示例の組付け状態になれば良い。また、風呂蓋本体は蓋板の周縁にエッジプロテクターを設けたものにも限定されない。また、上記実施形態においては、把手（１）が設けられた偏平中空部材（２０）を風呂蓋本体（１０）の中央のみに取り付ける場合を説明したが、本発明はそれだけに限られず、偏平中空部材を、風呂蓋本体の端部に設けても良く、複数設けるようにしても良い。また、蓋板の貫通孔形状にも限定されない。
【産業上の利用可能性】
【００４２】
本発明の把手付風呂蓋は、スムーズな風呂蓋取扱作業と良好な美観を得ることができることに加えて、カバー部材のはずれを確実に防止できるため、浴室において安全に取り扱うことができる。
【図面の簡単な説明】
【００４３】
【図１】この発明の実施形態である把手付風呂蓋を示す平面図である。
【図２】実施形態の風呂蓋における蓋板の貫通孔周辺を示す平面図である。
【図３】実施形態の風呂蓋における偏平中空部材および把手を示す平面図である。
【図４】図３の扁平中空部材および把手の分解斜視図である。
【図５】扁平中空部材の中受け部材の平面図である。
【図６】ベース部材、把手および中受け部材の組付け状態を示す平面図である。
【図７】図１の要部分解断面図である。
【図８】図３のＰ−Ｐ線断面図である。
【図９】図３のＱ−Ｑ線断面図である。
【符号の説明】
【００４４】
１…把手
２…把持部
１０…風呂蓋本体
１１…蓋板
１２…貫通孔
２０…偏平中空部材
３０…ベース部材
３４…切欠部
３５…突条
４０…カバー部材
４５…凹部（把手取付凹部）
５０…中受け部材
５２…貫通孔
５６…ガイド用突条（突条）
Ｒ…把手差込孔
Ｓ…把手付風呂蓋
【図１】
2007202610.tif 000003
【図２】
2007202610.tif 000004
【図３】
2007202610.tif 000005
【図４】
2007202610.tif 000006
【図５】
2007202610.tif 000007
【図６】
2007202610.tif 000008
【図７】
2007202610.tif 000009
【図８】
2007202610.tif 000010
【図９】
2007202610.tif 000011
【手続補正書】
【提出日】平成18年2月3日(2006.2.3)
【手続補正１】
【補正対象書類名】明細書
【補正対象項目名】全文
【補正方法】変更
【補正の内容】
【発明の詳細な説明】
【技術分野】
【０００１】
この発明は、蓋板に把手を設けるようにした把手付風呂蓋に関する。
【背景技術】
【０００２】
従来において、蓋周縁の損傷防止や滑り止め等を目的として、外周縁部に沿って合成樹脂製のエッジプロテクターが取り付けられた組蓋タイプの風呂蓋が周知であるが、このようなエッジプロテクター付きの風呂蓋において、取扱性等を考慮して把手が取り付けられるものがある。
【０００３】
例えば下記特許文献１、２に示す組蓋タイプの風呂蓋は、把手を風呂蓋本体の外周縁部に外側方に突出するように取り付けたり、把手を蓋板の上面に上方に突出するように取り付けるようにしている（特許文献１、２）。
【０００４】
しかしながら、把手を風呂蓋本体の外周縁部に外側方に突出するように取り付ける場合には、把手が風呂蓋端部から外側方に突出するように配置されるとともに、把手を蓋板の上面に取り付ける場合には、把手が板面から上方に突出するように配置される。このように把手が風呂蓋本体に対し外方に突出するように配置されるため、把手の風呂蓋に対する収まりが悪く、良好な美観を得ることができないばかりか、把手が邪魔になり、複数枚の風呂蓋本体を体裁良く重ね合わせることができず、保管や収納を効率良く行うことができないという問題を抱えている。
【０００５】
なお把手の風呂蓋本体に対する突出量が小さいものでは、美観等を向上させることができるものの、把手と風呂蓋本体との間の寸法が小さくなるため、把手を把持するのが困難になり、把手を十分に活用できず、浴槽に対する着脱作業や持ち運び作業等の風呂蓋取扱作業をスムーズに行えなくなるという問題が発生する。
【０００６】
そこで、本出願人は、蓋板に貫通孔を設け、貫通孔の周縁部を挟持するベース部材とカバー部材とからなる扁平中空部材を取付け、この扁平中空部材に把手を取付けるように構成した把手付風呂蓋を提案した。この把手付風呂蓋においては、前記扁平中空部材の上面側に把手取付凹部を設けてその凹部両側縁部に把手差込孔が設けられ、把手を前記把手取付凹部を跨る態様に配置してその両端部を前記把手差込孔にスライド可能かつ抜け止め状態に挿入されている。このような構成により、把手を簡単かつ確実に把持することができ、浴槽に対する着脱作業や持ち運び作業等の風呂蓋取扱作業をスムーズに行うことができる上、把手の風呂蓋本体に対する収まりが良く、良好な美観を得ることができる（特許文献３）。
【特許文献１】特開２００２−９５５９８号公報（図１）
【特許文献２】特開２００２−１２５８７２号公報（図１）
【特許文献３】特開２００５−４０３６８号公報（図４）
【発明の開示】
【発明が解決しようとする課題】
【０００７】
特許文献３に記載された把手付風呂蓋は、把手の両端部を収める空間として蓋板の貫通孔に把手の端部に対応する矩形の切欠部を設けたものであり、把手の両端部はベース部材とカバー部材との間に組み付けられている。このため、把手を持って風呂蓋を持ち上げると把手がカバー部材の下面に接触し、風呂蓋の重みでカバー部材が外れるおそれがあった。
【課題を解決するための手段】
【０００８】
本発明は、上述した技術背景に鑑み、特許文献３で提案した把手付風呂蓋を改良し、スムーズな風呂蓋取扱作業と良好な美観を得ることができることに加えて、カバー部材のはずれを確実に防止してさらに使い勝手の良い把手付風呂蓋の提供を目的とする。
【０００９】
即ち、本発明の把手付風呂蓋は下記［１］〜［３］に記載の構成を有する。
［１］  蓋板に把手を設けるようにした把手付風呂蓋であって、
前記蓋板に貫通孔が形成され、
中受け部材と、前記蓋板の下面側から前記中受け部材を介して前記貫通孔に対応して配置されるベース部材と、前記蓋板の上面側から前記貫通孔を介して前記ベース部材の上面側を覆うように組み付けられるカバー部材とを有する偏平中空部材が、そのベース部材及びカバー部材の周縁部によって前記蓋板の前記貫通孔周縁部を挟持することにより、前記蓋板に取り付けられ、
前記偏平中空部材の上面側に把手取付凹部が設けられるとともに、その凹部両側縁部に開口する把手差込孔が前記中受け部材とベース部材の間に設けられ、
前記把手が前記把手取付凹部を跨ぐ態様に配置された状態で、その両端部が前記把手差込孔にスライド自在かつ抜け止め状態に挿入されていることを特徴とする把手付風呂蓋。
【００１０】
［２］  前記中受け部材は、前記蓋板の貫通孔に対応して貫通孔が設けられた環状体である前項１に記載の把手付風呂蓋。
【００１１】
［３］  前記ベース部材の上面側に切欠部を有する突条が設けられる一方、前記中受け部材の下面側に前記切欠部に嵌合する２本の突条が間隔をもって設けられ、前記中受け部材の２本の突条によって把手挿入孔が形成されている前項１または２に記載の把手付風呂蓋。
【発明の効果】
【００１２】
［１］の本発明にかかる把手付風呂蓋においては、蓋板はベース部材とカバー部材に挟持されているのみならず、中受け部材により下方から支持され、かつ把手の両端部が中受け部材の下側に配置されている。このため、把手を持ち上げると中受け部材を介して蓋板を直接持ち上げることになり、確実に持ち上げることができる。そして、把手がカバー部材を直接押し上げてカバー部材が外れる、という事態を確実に防止できる。さらにベース部材とカバー部材に中受け部材を介装したことで風呂蓋の荷重が分散されるため、取扱作業が安定し使い勝手の良いものとなる。
【００１３】
また、偏平中空部材の上面側に、把手取付凹部を設けるとともに、この凹部を跨ぐ態様に把手がスライド自在に取り付けられているため、把手を引き出して無理なく把持することができ、浴槽に対する着脱作業や搬送作業等の取扱作業をスムーズに行うことができる。一方、把手を放置した状態では、把手が把手取付凹部内に収まるため、良好な美観を得ることができる上、組蓋においても複数の風呂蓋本体を体裁良く重ね合わせることができ、保管や収納を効率良く行うことができる。
【００１４】
［２］の発明によれば、中受け部材の広い面積で蓋板を支持するができ、さらに風呂蓋の荷重が分散され、取扱作業が安定し使い勝手の良いものとなる。
【００１５】
［３］の発明によれば、把手差込孔の形成とともに中受け部材の位置決めも同時に行うことができ、組付け作業を簡単に行える。
【発明を実施するための最良の形態】
【００１６】
図１に示すように、この実施形態の把手付風呂蓋（Ｓ）は、数枚一組で使用する組蓋タイプのものであって、非使用時には、複数枚を重ね合わせてコンパクトに保管、収納できるものである。この把手付風呂蓋（Ｓ）は、風呂蓋本体（１０）と、偏平中空部材（２０）と、把手（１）とを基本的な構成要素として備えている。
【００１７】
風呂蓋本体（１０）は、平板状の蓋板（１１）と、その外周縁部に連続して設けられるエッジプロテクター（１５）とを有している。前記蓋板（１１）は、芯板と、その芯板の表裏両面に積層一体化された硬質層と、表裏両硬質層の外表面側に積層一体化された化粧層とにより構成されている。芯板は、例えば熱可塑性合成樹脂の発泡体によって構成されている。さらに硬質層は、例えばアルミニウム（その合金も含む）等の金属品によって構成されている。また、図９に示すように、エッジプロテクター（１５）は、断面略コ字状の形状を有しており、そのコ字溝（１６）内に、蓋板（１１）の外周縁部が嵌着されることによって、蓋板（１１）の外周縁部に沿って連続して取り付けられている。なおエッジプロテクター（１５）は、例えば射出成形によって蓋板（１１）と一体に形成されている。
【００１８】
図２示すように、前記風呂蓋本体（１０）における蓋板（１１）の中央には、長円形の貫通孔（１２）が形成されている。また、前記貫通孔（１２）の周囲８箇所に前記扁平中空部材（２０）を取り付けるための取付孔（１３）（１４）が形成されている。８箇所のうち、４個の取付孔（１３）は貫通孔（１２）の一対の短弧の外方に穿設された独立孔であり、他の４個の取付孔（１４）は貫通孔（１２）の一対の長弧に連結した連結孔である。
【００１９】
図３および図４に示すように、偏平中空部材（２０）は、偏平な断面形状を有し、ベース部材（３０）と、カバー部材（４０）と、前記ベース部材（３０）とカバー部材（４０）との間に介装される中受け部材（５０）とを具備している。これらの部材（３０）（４０）（５０）は硬質合成樹脂の一体成形品からなる。
【００２０】
前記カバー部材（４０）は、平面視略長円形の上板部（４１）と、その上板部（４１）の外周縁部に下方屈曲状に形成された上側挟圧片（４２）とを一体に有している。前記上板部（４１）の中間領域は、下方側に凹陥形成されて凹部（４５）が形成され、さらにこの凹部（４５）の底壁には底孔（４９）が形成されている。前記凹部（４５）は、平面視において、長円形状を有するとともに、底孔（４９）も同様に、長円形状を有している。さらに、前記上板部（４１）の下面側（裏面側）には、その凹部（４５）の周囲８箇所に下方突出状に筒状嵌合雄部（４３）が一体に形成されている。
【００２１】
前記ベース部材（３０）は、平面視長円形状の底板部（３１）と、その底板部（３１）の外周縁部に上方屈曲状に形成された下側挟圧片（３２）とを一体に有している。前記下側狭圧片（３２）の短弧側には水抜き用の切欠部（３６）が設けられている。前記底板部（３１）の上面側中央部には、前記中受け部材（５０）を支持する長円形の突条（３５）が突設されている。この突条（３５）は両短弧側に切欠部（３４）（３４）を有するものの、前記カバー部材（４０）の底孔（４９）の形状に対応するものであり、内側領域が凹部（４５）の底面部となる。また、前記各切欠部（３４）の外方には小径の円形ピン（３７）が突設され、さらにその外方には高さの低い畝状突起（３８）が形成されている。さらに、前記突条（３５）の周囲には、前記カバー部材（４０）の筒状嵌合雄部（４３）に対応して、上方突出状に筒状嵌合雌部（３３）が一体に形成されている。
【００２２】
図４および図５に示すように、前記中受け部材（５０）は、平面視略長円形の平板部（５１）と、その上面および下面に前記カバー部材（４０）およびベース部材（３０）に係合する種々の突起物とを一体に有している。前記平板部（５１）の中央部にはカバー部材（４０）の底孔（４９）に対応する長円形の貫通孔（５２）が形成され、長弧側外周縁部にはカバー部材（４０）の筒状嵌合雄部（４３）に対応する４個の切欠部（５３）が形成されている。また、前記平板部（５１）の上面には、貫通孔（５２）の周囲に前記蓋板（１１）の貫通孔（１２）に嵌合される長円形の突条（５４）が突設されている。この突条（５４）は前記切欠部（５３）によって分断されている。一方、前記平板部（５１）の下面には、前記ベース部材（３０）の円形ピン（３７）に嵌合する筒状部（５５）が突設され、この筒状部（５５）の両脇に、貫通孔（５２）から外縁に至る２本のガイド用突条（５６）（５６）が所定間隔をもって平行に突設されている。これらのガイド用突条（５６）はベース部材（３０）の突条（３５）と同じ高さに形成されている。また、これらのガイド用突条（５６）の両側には前記貫通孔（５２）に沿って円弧状の位置ずれ防止用突条（５７）が形成されている。
【００２３】
前記把手（１）は、弾力性を有する柔軟性樹脂からなる帯状体であり、図４に示すように、その中間部が把持部（２）として構成されるとともに、両端側を下方に屈曲させ、この屈曲部から先端側が前記扁平中空部材（２０）への差込部（３）として構成されている。前記差込部（３）の中央部には長手方向に沿って長孔（４）が形成され、先端部には幅および高さを拡大した抜け止め部（５）が形成されている。また、前記屈曲部は、組付け時に把手（１）が扁平中空部材（２０）の上面から突出しない高さに設定されている（図８参照）。
【００２４】
次に、図４および図６〜９を参照し、上述した風呂蓋本体（１０）に偏平中空部材（２０）および把手（１）を組み付ける手順（ａ）〜（ｄ）を説明しつつ、組付け構造について説明する。
【００２５】
（ａ）図４、図６および図７に示すように、前記ベース部材（３０）上に把手（１）を載置する。前記ベース部材（３０）の突条（３５）の両切欠部（３４）に把手（１）の差込部（３）の基端側を合わせると、長孔（４）内にべース部材（３０）のピン（３７）が挿入され、抜け止め部（５）は突起（３８）の外側に配置される。なお、図６はさらに中受け部材（５０）を載置した状態を示している。
【００２６】
（ｂ）図４、図６および図７に示すように、把手（１）を載置したベース部材（４０）上に中受け部材（５０）を載置する。図９に示すように、ベース部材（３０）の突条（３５）の上面および底板部（３１）と、中受け部材（５０）の平板部（５１）の下面およびガイド用突条（５６）の下面とが当接し、ベース部材（３０）の突条（３５）の内周面と中受け部材（５０）の平板部（５１）の端面（貫通孔（５２）の内周面）とが面一に適合する。また、中受け部材（５０）のガイド用突条（５６）が切欠部（３４）内に嵌め込まれ、ピン（３７）が筒状部（５５）に嵌合する。そして、ベース部材（３０）の底板部（３１）の上面、中受け部材（５０）の平板部（５１）の下面およびガイド用突条（５６）によって囲まれたスリット状空間（Ｒ）が形成される。このスリット状空間（Ｒ）は本発明における把手差込孔に対応し、かつ把手（１）の差込部（３）のスライドスペースとなされる。また、把手（１）の長孔（４）内に中受け部材（５０）の筒状部（５５）が挿入されているため、差込部（３）は長孔（４）内がスライド可能範囲となり、さらに差込部（３）を内側にスライドさせると、抜け止め部（５）が中受け部材（５０）の平板部（５１）の端面、ガイド用突条（５６）の端面およびべース部材（３０）の突起（３８）外側側面に当接して抜け止め状態となる。また、ベース部材（３０）の長円形の突条（３５）と中受け部材（５０）の位置ずれ防止用突条（５７）とが並行し、これらが当接することよってベース部材（３０）と中受け部材（５０）の位置ずれが防止されている。
【００２７】
（ｃ）図７に示すように、中受け部材（５０）上に蓋板（１１）を載置する。図８に示すように、中受け部材（５０）の長円形の突条（５４）が蓋板（１１）の貫通孔（１２）に挿入されるとともに、ベース部材（３０）の８個の筒状嵌合雌部（３３）が蓋板（１１）の取付孔（１３）（１４）に遊挿され、蓋板（１１）は所定位置に載置される。また、ベース部材（３０）の下側狭圧片（３２）が蓋板（１１）の下面を支持する。
【００２８】
（ｄ）図７〜９に示すように、カバー部材（４０）を蓋板（１１）に被せ、カバー部材（４０）の筒状嵌合雄部（４３）とベース部材（３０）の筒状嵌合雌部（３３）とを強く嵌合させる。これらの部材間のクリアランスは極めて小さく設定されているため、強く引き離さない限り嵌合状態は維持され、カバー部材（４０）の上側挟圧片（４２）とベース部材（３０）の下側挟圧片（３２）とが、蓋板（１１）の貫通孔（１２）の周縁部を挟持することにより、偏平中空部材（２０）が蓋板（１１）に固定される。そして、カバー部材（４０）の凹部（４５）の下端面が中受け部材（５０）の平板部（５１）の上面に当接するともに、凹部（４５）の内周面と中受け部材（５０）の貫通孔（５２）の内周面およびベース部材（３０）の突条（３５）の内周面とが適合して面一となり、中空部材（２０）内部への封止がなされる。また、前記凹部（４５）は実質的に深くなって、本願発明における把手取付凹部が有底構造に形成される。
【００２９】
上述した組付け状態において、蓋板（１１）はベース部材（３０）とカバー部材（４０）に挟持されているのみならず、中受け部材（５０）の平板部（５１）により広い面積で下方から支持され、かつ把手（１）の差込部（３）が中受け部材（５０）の下側に配置されている。このため、把手（１）を持ち上げると中受け部材（５０）を介して蓋板（１１）を直接持ち上げることになり、確実に持ち上げることができる。そして、把手（１）がカバー部材（４０）を直接押し上げてカバー部材（４０）が外れる、という事態を確実に防止できる。さらにベース部材（３０）とカバー部材（４０）の間に中受け部材（５０）を介装したことで風呂蓋（Ｓ）の荷重が分散されるため、取扱作業が安定し使い勝手の良いものとなる。
【００３０】
また、蓋板（１１）に貫通状態に設けられた偏平中空部材（２０）の上面側に、把手取付凹部を設けるとともに、この凹部を跨ぐ態様に把手（１）が取り付けられるものであるため、例えば風呂蓋を浴槽に設置した状態においては、把手（１）を風呂蓋上面側から無理なく把持することができる。しかも、把手（１）をその両側のいずれの方向からでも指先を差し込むことができて確実に把持することができる。このように把手（１）を風呂蓋上面側におけるいずれの方向からでも把持できるため、把手（１）を十分に活用できて、風呂蓋の浴槽に対する着脱作業や搬送作業等の取扱作業をスムーズに行うことができる。
【００３１】
また、把手（１）を放置した状態では、把手（１）が把手取付凹部内に収まるため、把手（１）が風呂蓋表面から必要以上に外部に突出することがなく、良好な美観を得ることができる上、把手（１）が邪魔にならず、複数の風呂蓋本体（１０）を体裁良く重ね合わせることができ、保管や収納を効率良く行うことができる。
【００３２】
特に本実施形態は、把手（１）の把持部（２）偏平中空部材（２０）の上面から突出しない高さに配置されるものであるため、把手（１）の風呂蓋本体（１０）に対する収まりが一段と良くなり、より一層良好な美観を得ることができるとともに、重ね合わせ作業等をより一層スムーズに行うことができる。
【００３３】
また本実施形態においては、把手（１）を弾力性を有する柔軟性樹脂で形成し、両側部をスライド自在に設けているため、把手（１）の把持部（２）を把持する際に、把手（１）の両側部が引き出され、図８の想像線に示すように把手（１）が把手差込孔（Ｒ）から引き出されてアーチ状に変形するため、把持部（２）の下側に指先をスムーズに回り込ませることができ、把持作業を一層簡単かつ確実に行うことができる。しかも、前記中受け部材（５０）のガイド用突条（５６）および把手（１）の長孔（４）内に挿入した筒状部（５５）によってスライド方向が正確にガイドされるため、把手（１）を把持する際に把手（１）がスムーズにスライドし、把手（１）の把持作業を一層簡単に行うことができる。
【００３４】
本発明の把手付風呂蓋は上述した実施形態に限定されるものではなく、請求項１に記載された範囲内における各種変形をも許容するものである。以下にいくつかの変形例を示す。
【００３５】
扁平中空部材（２０）において、把手取付凹部は必ずしもカバー部材（４０）、中受け部材（５０）およびベース部材（３０）の３部材が面一に組み合わさって形成されたものに限定されない。例えば、中受け部材（５０）の貫通孔（５２）およびベース部材（３０）の突条（５０）を外縁方向に退いた位置に形成し、カバー部材（４０）の凹部（４５）を前記貫通孔（５２）および突条（３５）を覆う長さに形成してもよい。この場合、把手差込孔（Ｒ）は、カバー部材（４０）の凹部（４５）に切欠を設ければ、中受け部材（５０）とベース部材（３０）の間に設けた把手差込孔（Ｒ）を把手取付凹部に臨んで開口させることができる。もとより、本願発明における把手取付凹部は、組付け状態において扁平中空部材（２０）の上面側に設けられているものであって、カバー部材（４０）の一部として上板部（４１）を下方に凹ませて周壁を形成したものに限定されない。把手取付凹部の周壁はベース部材（３０）または中受け部（５０）と一体に形成することもできる。
【００３６】
また、上記実施形態においては、カバー部材（４０）の上板部（４１）に無底の把手取付凹部（４５）を形成しているが、本発明は、それだけに限られず、カバー部材の上板部に、孔のない有底凹部を形成して、その有底凹部を把手取付凹部として構成するようにしても良い。この場合、把手取付凹部の底壁をベース部材の底壁に接合することによって、強度を向上させることができる。
【００３７】
中受け部材（５０）は少なくとも把手差込孔（Ｒ）を形成する部分に存在してれば足り、環状体以外の中受け部材を用いた場合も本発明に含まれる。但し、環状体の中受け部材は蓋板をより広い面積で支持することができるため、風呂蓋の荷重を分散させて把手に集中させない点で推奨できる。また、中受け部材がベース部材と一体化しているものも本発明に含まれる。
【００３８】
また、把手差込孔（Ｒ）は、ベース部材（３０）と中受け部材（５０）との間に空間を形成すれば良く、中受け部材（５０）に下面側に突条（５６）を設ける他、ベース部材（３０）の上面側に突条を設けることによっても形成することができる。上述した実施形態においては、ベース部材（３０）に中受け部材（５０）支持する長円形の突条（３５）を設けるとともに把手差込孔（Ｒ）予定部位に切欠部（３４）を形成し、一方中受け部材（５０）に前記切欠部（３４）に嵌合する２本のガイド用突条（５６）を設けている。このような構成により、把手差込孔（Ｒ）の形成とともに中受け部材（５０）の位置決めも同時に行うことができ、組付け作業を簡単に行える。
【００３９】
把手（１）を把手差込孔（Ｒ）にスライド自在かつ抜け止め状態に挿入する方法も上記実施形態に限定されない。例えば、図示例の把手（１）における長孔（４）は中受け部材（５０）の筒状部（５５）を挿入してスライド方向をガイドするものであるが、スライド量を規制するものでもあり実質的に把手（１）の抜け止めを構成している。従って、必ずしも把手（１）の端部に断面積を拡大した抜け止め部（５）を形成して、この抜け止め部（５）を把手差込孔（Ｒ）の他端側において中受け部材（５０）に当接させずとも、抜け止めを図ることができる。また、前記把手差込孔（Ｒ）内において把手（１）の抜け止め部（５）に係合させる係合部を設ける構成としても良い。
【００４０】
また、把手（１）は把持部（２）と差込部（３）との間に屈曲部を形成せず、平坦な帯状であっても良い。必ずしも屈曲部がなくても把手のスライドによりアーチ状に撓ませる（図８参照）ことによって指を差し入れることができる。なお、本発明においては、扁平中空部材（２０）の上面側に把手取付凹部が設けられているため、把手（１）に屈曲部を設けても把手を前記凹部内に収めることができ、良好な美観を得ることができる上、把手（１）が邪魔にならず、複数の風呂蓋本体（１０）を体裁良く重ね合わせることができ、保管や収納を効率良く行うことができる。
【００４１】
カバー部材（４０）をベース部材（３０）に固定するための固定手段は、特に限定されるものではなく、例えばリベットを用いて両部材（３０）（４０）を固定するリベット止め方式、接着剤を用いて両部材（３０）（４０）を固定する接着方式の他、両部材（３０）（４０）に係合フックを設けて、対応するフック同士を係合することにより、両部材（３０）（４０）を固定する係合方式、さらにはこれらの方式を併用するようにした併用方式等を用いることができる。
【００４２】
中空扁平部材（２０）の蓋板（１１）に対する組付手順は、特に限定されるものではなく、最終的に図示例の組付け状態になれば良い。また、風呂蓋本体は蓋板の周縁にエッジプロテクターを設けたものにも限定されない。また、上記実施形態においては、把手（１）が設けられた偏平中空部材（２０）を風呂蓋本体（１０）の中央のみに取り付ける場合を説明したが、本発明はそれだけに限られず、偏平中空部材を、風呂蓋本体の端部に設けても良く、複数設けるようにしても良い。また、蓋板の貫通孔形状にも限定されない。
【産業上の利用可能性】
【００４３】
本発明の把手付風呂蓋は、スムーズな風呂蓋取扱作業と良好な美観を得ることができることに加えて、カバー部材のはずれを確実に防止できるため、浴室において安全に取り扱うことができる。
【図面の簡単な説明】
【００４４】
【図１】この発明の実施形態である把手付風呂蓋を示す平面図である。
【図２】実施形態の風呂蓋における蓋板の貫通孔周辺を示す平面図である。
【図３】実施形態の風呂蓋における偏平中空部材および把手を示す平面図である。
【図４】図３の扁平中空部材および把手の分解斜視図である。
【図５】扁平中空部材の中受け部材の平面図である。
【図６】ベース部材、把手および中受け部材の組付け状態を示す平面図である。
【図７】図１の要部分解断面図である。
【図８】図３のＰ−Ｐ線断面図である。
【図９】図３のＱ−Ｑ線断面図である。
【符号の説明】
【００４５】
１…把手
２…把持部
１０…風呂蓋本体
１１…蓋板
１２…貫通孔
２０…偏平中空部材
３０…ベース部材
３４…切欠部
３５…突条
４０…カバー部材
４５…凹部（把手取付凹部）
５０…中受け部材
５２…貫通孔
５６…ガイド用突条（突条）
Ｒ…把手差込孔
Ｓ…把手付風呂蓋